【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
オペレーティングシステムがスキャナドライバを介してスキャナによる原稿画像の読み取り動作を制御可能な情報処理装置であって、
前記スキャナドライバが設定された変倍率に従って読み取った画像データを定倍率に従う画像データに変倍処理する変倍手段と、
前記変倍手段により変倍された画像データと特定画像データとを比較して一致度を判定する判定手段と、
前記判定手段による判定結果に基づいて前記スキャナドライバが読み取った前記画像データに対する所定の画像加工処理を制御する制御手段と、
を有することを特徴とする情報処理装置。
【請求項２】
前記制御手段は、前記判定手段により前記画像データが前記特定画像データにほぼ一致すると判定された場合に、読み取られた画像データとは異なる画像データに加工処理することを特徴とする請求項１記載の情報処理装置。
【請求項３】
前記制御手段により前記画像データに対して所定の画像加工処理が施された場合に、該画像データが特定画像データに一致するために加工されたことを示す警告メッセージを表示する表示手段を有し、前記制御手段は、前記表示手段により表示された警告メッセージに対するユーザからの画像処理要求に基づき、読み取られて加工されている画像データを破棄することを特徴とする請求項１記載の情報処理装置。
【請求項４】
前記所定の画像加工処理は、読み取られた画像データの解像度を変換する解像度変換処理，読み取られた画像データの色調を変換する色変換処理，読み取られた画像データに任意の画像データを付加する画像変換処理を含むことを特徴とする請求項１記載の情報処理装置。
【請求項５】
前記制御手段は、前記表示手段により表示された警告メッセージに対するユーザからの画像処理要求に基づき、特定画像データの読み取り処理状況を検証可能な履歴情報を作成して不揮発性メモリに登録することを特徴とする請求項３記載の情報処理装置。
【請求項６】
前記特定画像データは、複製が法律上禁止されている原稿画像とすることを特徴とする請求項１〜３，５のいずれかに記載の情報処理装置。
【請求項７】
前記特定画像データは、あらかじめ更新可能に記憶管理されていることを特徴とする請求項１〜３，５，６のいずれかに記載の情報処理装置。
【請求項８】
前記スキャナは、ローカルインタフェースあるいはネットワークインタフェースを介して接続可能とすることを特徴とする請求項１記載の情報処理装置。
【請求項９】
オペレーティングシステムがプリンタドライバを介してプリンタによる画像データの印刷動作を制御可能な情報処理装置であって、
前記プリンタドライバがラスタライズした画像データを定倍率に従う画像データに変倍処理する変倍手段と、
前記変倍手段により変倍された画像データと特定画像データとを比較して一致度を判定する判定手段と、
前記判定手段による判定結果に基づいて前記プリンタドライバがラスタライズした前記画像データに対する所定の画像加工処理を制御する制御手段と、
を有することを特徴とする情報処理装置。
【請求項１０】
前記制御手段は、前記判定手段により前記画像データが前記特定画像データにほぼ一致すると判定された場合に、ラスタライズされた画像データとは異なる画像データに加工処理することを特徴とする請求項９記載の情報処理装置。
【請求項１１】
前記制御手段により前記画像データに対して所定の画像加工処理が施された場合に、該画像データが特定画像データに一致するために加工されたことを示す警告メッセージを表示する表示手段を有し、
前記制御手段は、前記表示手段により表示された警告メッセージに対するユーザからの画像処理要求に基づき、ラスタライズされて加工されている画像データを破棄することを特徴とする請求項９記載の情報処理装置。
【請求項１２】
前記所定の画像加工処理は、ラスタライズされた画像データの解像度を変換する解像度変換処理，読み取られた画像データの色調を変換する色変換処理，ラスタライズされた画像データに任意の画像データを付加する画像変換処理を含むことを特徴とする請求項９記載の情報処理装置。
【請求項１３】
前記制御手段は、前記表示手段により表示された警告メッセージに対するユーザからの画像処理要求に基づき、特定画像データのラスタライズ処理状況を検証可能な履歴情報を作成して不揮発性メモリに登録することを特徴とする請求項１１記載の情報処理装置。
【請求項１４】
前記特定画像データは、複製が法律上禁止されている原稿画像とすることを特徴とする請求項９〜１１，１３のいずれかに記載の情報処理装置。
【請求項１５】
前記特定画像データは、あらかじめ更新可能に記憶管理されていることを特徴とする請求項９〜１１，１３，１４のいずれかに記載の情報処理装置。
【請求項１６】
前記プリンタは、ローカルインタフェースあるいはネットワークインタフェースを介して接続可能とすることを特徴とする請求項９記載の情報処理装置。
【請求項１７】
オペレーティングシステムがスキャナドライバを介してスキャナによる原稿画像の読み取り動作を制御可能な情報処理装置の画像処理方法であって、
前記スキャナドライバが設定された変倍率に従って読み取った画像データを定倍率に従う画像データに変倍処理する変倍工程と、
前記変倍工程により変倍された画像データと特定画像データとを比較して一致度を判定する判定工程と、
前記判定工程による判定結果に基づいて前記スキャナドライバが読み取った前記画像データに対する所定の画像加工処理を制御する制御工程と、
を有することを特徴とする情報処理装置の画像処理方法。
【請求項１８】
前記制御工程は、前記判定工程により前記画像データが前記特定画像データにほぼ一致すると判定された場合に、読み取られた画像データとは異なる画像データに加工処理することを特徴とする請求項１７記載の情報処理装置の画像処理方法。
【請求項１９】
前記制御工程により前記画像データに対して所定の画像加工処理が施された場合に、該画像データが特定画像データに一致するために加工されたことを示す警告メッセージを表示する表示工程を有し、
前記制御工程は、前記表示工程により表示された警告メッセージに対するユーザからの画像処理要求に基づき、読み取られて加工されている画像データを破棄することを特徴とする請求項１７記載の情報処理装置の画像処理方法。
【請求項２０】
前記所定の画像加工処理は、読み取られた画像データの解像度を変換する解像度変換処理，読み取られた画像データの色調を変換する色変換処理，読み取られた画像データに任意の画像データを付加する画像変換処理を含むことを特徴とする請求項１７記載の情報処理装置の画像処理方法。
【請求項２１】
前記制御工程は、前記表示工程により表示された警告メッセージに対するユーザからの画像処理要求に基づき、特定画像データの読み取り処理状況を検証可能な履歴情報を作成して不揮発性メモリに登録することを特徴とする請求項１７記載の情報処理装置の画像処理方法。
【請求項２２】
前記特定画像データは、複製が法律上禁止されている原稿画像とすることを特徴とする請求項１７〜１９，２１のいずれかに記載の情報処理装置の画像処理方法。
【請求項２３】
前記特定画像データは、あらかじめ更新可能に記憶管理されていることを特徴とする請求項１７〜１９，２１，２２のいずれかに記載の情報処理装置の画像処理方法。
【請求項２４】
オペレーティングシステムがプリンタドライバを介してプリンタによる画像データの印刷動作を制御可能な情報処理装置の画像処理方法であって、
前記プリンタドライバがラスタライズした画像データを定倍率に従う画像データに変倍処理する変倍工程と、
前記変倍工程により変倍された画像データと特定画像データとを比較して一致度を判定する判定工程と、
前記判定工程による判定結果に基づいて前記プリンタドライバがラスタライズした前記画像データに対する所定の画像加工処理を制御する制御工程と、
を有することを特徴とする情報処理装置の画像処理方法。
【請求項２５】
前記制御工程は、前記判定工程により前記画像データが前記特定画像データにほぼ一致すると判定された場合に、ラスタライズされた画像データとは異なる画像データに加工処理することを特徴とする請求項２４記載の情報処理装置の画像処理方法。
【請求項２６】
前記制御工程により前記画像データに対して所定の画像加工処理が施された場合に、該画像データが特定画像データに一致するために加工されたことを示す警告メッセージを表示する表示工程を有し、
前記制御工程は、前記表示工程により表示された警告メッセージに対するユーザからの画像処理要求に基づき、ラスタライズされて加工されている画像データを破棄することを特徴とする請求項２４記載の情報処理装置の画像処理方法。
【請求項２７】
前記所定の画像加工処理は、ラスタライズされた画像データの解像度を変換する解像度変換処理，読み取られた画像データの色調を変換する色変換処理，ラスタライズされた画像データに任意の画像データを付加する画像変換処理を含むことを特徴とする請求項２４記載の情報処理装置の画像処理方法。
【請求項２８】
前記制御工程は、前記表示工程により表示された警告メッセージに対するユーザからの画像処理要求に基づき、特定画像データのラスタライズ処理状況を検証可能な履歴情報を作成して不揮発性メモリに登録することを特徴とする請求項２６記載の情報処理装置の画像処理方法。
【請求項２９】
前記特定画像データは、複製が法律上禁止されている原稿画像とすることを特徴とする請求項２４〜２６，２８のいずれかに記載の情報処理装置の画像処理方法。
【請求項３０】
前記特定画像データは、あらかじめ更新可能に記憶管理されていることを特徴とする請求項２４〜２６，２８，２９のいずれかに記載の情報処理装置の画像処理方法。
【請求項３１】
オペレーティングシステムがスキャナドライバを介してスキャナによる原稿画像の読み取り動作を制御可能な情報処理装置に、
前記スキャナドライバが設定された変倍率に従って読み取った画像データを定倍率に従う画像データに変倍処理する変倍工程と、
前記変倍工程により変倍された画像データと特定画像データとを比較して一致度を判定する判定工程と、
前記判定手段による判定結果に基づいて前記スキャナドライバが読み取った前記画像データに対する所定の画像加工処理を制御する制御工程と、
を実行させるためのプログラムを記録したコンピュータが読み取り可能な記憶媒体。
【手続補正２】
【補正対象書類名】明細書
【補正対象項目名】００１４
【補正方法】変更
【補正の内容】
【００１４】
本発明に係る第９の発明は、オペレーティングシステム（図１１に示すオペレーティングシステム７０２に相当）がプリンタドライバ（図１１に示すプリンタドライバ７０３に相当）を介してプリンタ（図１１に示すプリンタ７０４に相当）による画像データの印刷動作を制御可能な情報処理装置であって、前記プリンタドライバがラスタライズした画像データを定倍率に従う画像データに変倍処理する変倍手段（図１１に示す偽造判定処理モジュール７０３−３に相当）と、前記変倍手段により変倍された画像データと特定画像データとを比較して一致度を判定する判定手段（図１１に示す偽造判定処理モジュール７０３−３に相当）と、前記判定手段による判定結果に基づいて前記プリンタドライバがラスタライズした前記画像データに対する所定の画像加工処理を制御する制御手段（図１１に示す偽造防止制御モジュール７０５に相当）とを有するものである。
【手続補正３】
【補正対象書類名】明細書
【補正対象項目名】００２５
【補正方法】変更
【補正の内容】
【００２５】
本発明に係る第２４の発明は、オペレーティングシステム（図１１に示すオペレーティングシステム７０２に相当）がプリンタドライバ（図１１に示すプリンタドライバ７０３に相当）を介してプリンタ（図１１に示すプリンタ７０４に相当）による画像データの印刷動作を制御可能な情報処理装置の画像処理方法であって、前記プリンタドライバがラスタライズした画像データを定倍率に従う画像データに変倍処理する変倍工程（図１６に示すステップＳ１７２１）と、前記変倍工程により変倍された画像データと特定画像データとを比較して一致度を判定する判定工程（図１６に示すステップＳ１７２３）と、前記判定工程による判定結果に基づいて前記プリンタドライバがラスタライズした前記画像データに対する所定の画像加工処理を制御する制御工程（図１６に示すステップＳ１７１３〜ステップＳ１７１５）とを有するものである。
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】０１４１
【補正方法】変更
【補正の内容】
【０１４１】
【発明の効果】
以上説明したように、本発明によれば、オペレーティングシステムがスキャナドライバを介してスキャナによる原稿画像の読み取り動作を制御可能な情報処理装置において、前記スキャナドライバが設定された変倍率に従って読み取った画像データに対して定倍率の変倍処理を施した画像データと特定画像データとを比較して一致度を判定し、該判定結果に基づいて前記スキャナドライバが読み取った前記画像データに対する所定の画像加工処理を制御するので、スキャナがプリンタと一体となるような複写システムとして構成されず、スキャナ単体として画像読み取り処理が行える環境においても、複製が禁止されている特定画像に一致するような画像データが変倍されて読み取られた場合でも、読み取られた特定画像に一致する不正な画像データが無意味な画像データとなるように加工処理を施して、複製が禁止された原稿から偽造物が作成されてしまう画像入力処理を確実に防止することができる。